(57)【要約】【課題】  プラズマディスプレイパネルとシャーシベースとの間に介在される熱拡散シート及び両面テープが効果的に配置されるようにする。【解決手段】  プラズマディスプレイパネル１０と，プラズマディスプレイパネルを支持するシャーシベース２０と，プラズマディスプレイパネルとシャーシベースとの間に，プラズマディスプレイパネルとシャーシベースとを相互に固定するように付着される両面テープ４０とを含み；シャーシベースには，両面テープが付着される位置をガイドするアラインマークが形成されるように構成した。また，プラズマディスプレイパネル１０と，プラズマディスプレイパネルを支持するシャーシベース２０と，プラズマディスプレイパネルとシャーシベースとの間に介在される熱拡散シート３０とを含み，シャーシベースには，熱拡散シートが介在される位置をガイドするアラインマークが形成されるように構成した。【選択図】    図１
2006091895.tif 000002
【特許請求の範囲】
【請求項１】
プラズマディスプレイパネルと，
前記プラズマディスプレイパネルを支持するシャーシベースと，
前記プラズマディスプレイパネルと前記シャーシベースとの間に，前記プラズマディスプレイパネルと前記シャーシベースとを相互に固定するように付着される両面テープとを含み，
前記シャーシベースには，前記両面テープが付着される位置をガイドするアラインマークが形成されること，
を特徴とするプラズマディスプレイ装置。
【請求項２】
前記プラズマディスプレイパネルと前記シャーシベースとの間には，熱拡散シートが複数に分割されて相互に所定の距離だけ離隔されて配置され，
前記アラインマークは，前記分割された熱拡散シートと熱拡散シートとの間または前記複数の熱拡散シートの周りに配置される帯状の前記両面テープの付着位置をガイド可能に形成されることを特徴とする請求項１に記載のプラズマディスプレイ装置。
【請求項３】
前記アラインマークは，前記シャーシベースの前記プラズマディスプレイパネルと対向する面に形成されることを特徴とする請求項２に記載のプラズマディスプレイ装置。
【請求項４】
前記アラインマークは，相互に隣接する前記熱拡散シートの間に配置される前記両面テープに対応して形成されることを特徴とする請求項３に記載のプラズマディスプレイ装置。
【請求項５】
前記アラインマークは，前記両面テープが複数であるとき，前記複数の両面テープのうち少なくとも一つの両面テープに対応して形成されることを特徴とする請求項１に記載のプラズマディスプレイ装置。
【請求項６】
前記アラインマークは，前記両面テープが付着される領域を陽刻して形成されることを特徴とする請求項１に記載のプラズマディスプレイ装置。
【請求項７】
前記アラインマークは，前記両面テープが付着される領域を陰刻して形成されることを特徴とする請求項１に記載のプラズマディスプレイ装置。
【請求項８】
前記アラインマークは，インクまたは蛍光物質を印刷することにより形成されることを特徴とする請求項１に記載のプラズマディスプレイ装置。
【請求項９】
前記アラインマークは，前記両面テープが付着される領域の外周に沿って形成されることを特徴とする請求項１に記載のプラズマディスプレイ装置。
【請求項１０】
前記アラインマークは，前記両面テープが付着される領域の外周に部分的に形成されることを特徴とする請求項１に記載のプラズマディスプレイ装置。
【請求項１１】
前記アラインマークは，前記両面テープの長手方向両端に対応する位置に対をなして形成されることを特徴とする請求項１０に記載のプラズマディスプレイ装置。
【請求項１２】
前記アラインマークは，前記両面テープの幅方向の両端に対応する位置に対をなして形成されることを特徴とする請求項１０に記載のプラズマディスプレイ装置。
【請求項１３】
前記アラインマークは，多角形に形成される前記両面テープの対角線方向の両端に対応する位置に対をなして形成されることを特徴とする請求項１０に記載のプラズマディスプレイ装置。
【請求項１４】
前記アラインマークは，前記両面テープの前記対角線方向に対向する角部にそれぞれ形成されることを特徴とする請求項１３に記載のプラズマディスプレイ装置。
【請求項１５】
前記アラインマークは，前記両面テープの前記対角線方向に対向する角部の形状に対応する“『”形状，及び“』”形状に形成されることを特徴とする請求項１４に記載のプラズマディスプレイ装置。
【請求項１６】
前記アラインマークは，前記シャーシベースに形成される孔からなることを特徴とする請求項１４に記載のプラズマディスプレイ装置。
【請求項１７】
前記孔の前記シャーシベースの面方向の断面の形状は，円形または多角形であることを特徴とする請求項１６に記載のプラズマディスプレイ装置。
【請求項１８】
プラズマディスプレイパネルと，
前記プラズマディスプレイパネルを支持するシャーシベースと，
前記プラズマディスプレイパネルと前記シャーシベースとの間に介在される熱拡散シートとを含み，
前記シャーシベースには，前記熱拡散シートが介在される位置をガイドするアラインマークが形成されること，
を特徴とするプラズマディスプレイ装置。
【請求項１９】
前記アラインマークは，前記熱拡散シートが複数に分割されて前記プラズマディスプレイパネルと前記シャーシベースとの間に介在されるとき，少なくとも一つの前記熱拡散シートに対応して形成されることを特徴とする請求項１８に記載のプラズマディスプレイ装置。
【請求項２０】
前記アラインマークは，前記熱拡散シートが介在される領域を陽刻して形成されることを特徴とする請求項１８に記載のプラズマディスプレイ装置。
【請求項２１】
前記アラインマークは，前記熱拡散シートが介在される領域を陰刻して形成されることを特徴とする請求項１８に記載のプラズマディスプレイ装置。
【請求項２２】
前記アラインマークは，前記熱拡散シートが介在される領域にインクまたは蛍光物質を印刷して形成されることを特徴とする請求項１８に記載のプラズマディスプレイ装置。
【請求項２３】
前記アラインマークは，前記熱拡散シートが介在される領域の外周に沿って形成されることを特徴とする請求項１８に記載のプラズマディスプレイ装置。
【請求項２４】
前記アラインマークは，前記熱拡散シートが付着される領域の外周に部分的に形成されることを特徴とする請求項２３に記載のプラズマディスプレイ装置。
【請求項２５】
前記アラインマークは，前記熱拡散シートの長手方向の両端に対応する位置に対をなして形成されることを特徴とする請求項２４に記載のプラズマディスプレイ装置。
【請求項２６】
前記アラインマークは，前記熱拡散シートの幅方向の両端に対応する位置に対をなして形成されることを特徴とする請求項２４に記載のプラズマディスプレイ装置。
【請求項２７】
前記アラインマークは，多角形に形成される前記熱拡散シートの対角線方向の両端に対応する位置に対をなして形成されることを特徴とする請求項２４に記載のプラズマディスプレイ装置。
【請求項２８】
前記アラインマークは，前記熱拡散シートの前記対角線方向に対向する角部にそれぞれ形成されることを特徴とする請求項２７に記載のプラズマディスプレイ装置。
【請求項２９】
前記アラインマークは，前記熱拡散シートの前記対角線方向に対向する角部の形状に対応する“『”形状，及び“』”形状に形成されることを特徴とする請求項２８に記載のプラズマディスプレイ装置。
【請求項３０】
前記アラインマークは，前記シャーシベースに形成される孔からなることを特徴とする請求項２８に記載のプラズマディスプレイ装置。
【請求項３１】
前記孔の前記シャーシベースの面方向の断面の形状は，円形または多角形であることを特徴とする請求項３０に記載のプラズマディスプレイ装置。
【発明の詳細な説明】
【技術分野】
【０００１】
本発明は，プラズマディスプレイ装置に関する。
【背景技術】
【０００２】
周知のように，従来のプラズマディスプレイ装置は，放電セルで起こる気体放電による真空紫外線で蛍光体を励起させて画像を具現するディスプレイパネル（Ｐｌａｓｍａ  Ｄｉｓｐｌａｙ  Ｐａｎｅｌ，以下，“ＰＤＰ”という）と；上記ＰＤＰを支持するシャーシベースと；上記シャーシベースの上記ＰＤＰとは反対側に装着されて，フレキシブルプリント回路（Ｆｌｅｘｉｂｌｅ  Ｐｒｉｎｔｅｄ  Ｃｉｒｃｕｉｔ）及びコネクタなどを介して，ＰＤＰの内部に位置する表示電極またはアドレス電極に連結される複数の駆動回路基板（駆動ボード）と；上記ＰＤＰ，上記シャーシベース及び上記駆動回路基板（駆動ボード）を取り囲んでプラズマディスプレイ装置の外観を形成するケースと；を含んで構成される。
【０００３】
図１７は，従来のプラズマディスプレイ装置の単位モジュールの組立てを示す分解斜視図である。ずなわち，プラズマディスプレイ装置のケースの内部において各構成要素がどのように配置されて組立てられるかを示すものである。図１８は，従来のプラズマディスプレイ装置のシャーシベースを示す正面図である。
【０００４】
図１７及び図１８に示すように，ケースの内部に配置されるＰＤＰ１１０は，両面テープ１４０によりシャーシベース１２０に付着されて固定され，ＰＤＰ１１０とシャーシベース１２０との間には，ＰＤＰ１１０内で発生した熱をシャーシベース１２０に伝達するための熱拡散シート１３０が介在される。以下では，ＰＤＰ１１０及びシャーシベース１２０を熱拡散シート１３０及び両面テープ１４０を間に介在させて結合させた組立体を単位モジュールと称することにする。
【０００５】
ＰＤＰ１１０は，２枚のガラス基板を面対向させて封着し，その内部に放電空間を形成する構成であるため，衝撃に対する機械的剛性が弱い。また，ＰＤＰ１１０は，駆動の際に熱を発生するため，その背面には熱拡散シート１３０が設けられる。この熱拡散シート１３０は，ＰＤＰ１１０から発生した熱を平面方向に迅速に伝導拡散させる役割りを果たす。
【０００６】
シャーシベース１２０は，ＰＤＰ１１０を支持するため，機械的剛性の高い金属材を材料として形成される。また，シャーシベース１２０には，両面テープ１４０を介してＰＤＰ１１０が付着結合される。シャーシベース１２０は，上記のようにＰＤＰ１１０の剛性を維持する機能に加え，駆動回路基板の装着を支持する役割り，放熱板（ヒートシンク）としてＰＤＰ１１０の熱を外部へ放熱させる役割り，電磁妨害（Ｅｌｅｃｔｒｏ  Ｍａｇｎｅｔｉｃ  Ｉｎｔｅｒｆｅｒｅｎｃｅ：ＥＭＩ，以下“ＥＭＩ”と称す）を抑制するためのＥＭＩ接地としての役割りなどを果たすこともできる。
【０００７】
熱拡散シート１３０は，ＰＤＰ１１０から発生する熱のシャーシベース１２０側への放熱を促進させるために，ＰＤＰ１１０の背面になるべく広い面積を占めるように配設されるのがよい。
【０００８】
両面テープ１４０は，熱拡散シート１３０の作用低下を最小化，すなわち熱拡散シート１３０の放熱効果を妨げないように，かつ，ＰＤＰ１１０とシャーシベース１２０が堅固に付着されるように設けられるのがよい。
【０００９】
ここで，ＰＤＰ１１０，シャーシベース１２０，及び熱拡散シート１３０を単位モジュールに組み立てる際の一般的な過程について説明する。先ず，ＰＤＰ１１０の背面，すなわち映像が表示されない側の面に熱拡散シート１３０を付着させる。一方，シャーシベース１２０には両面テープ１４０を付着させる。その後，ＰＤＰ１１０の熱拡散シート１３０が付着された面と，シャーシベース１２０の両面テープ１４０が付着された面とを対向させて，両面テープ１４０の接着力によりＰＤＰ１１０とシャーシベース１２０とが付着されるように両者を結合させる。
【００１０】
上記のような組立て過程においては，熱拡散シート１３０及び両面テープ１４０がＰＤＰ１１０及びシャーシベース１２０の所定の位置に正確に位置付けされて付着された上で，ＰＤＰ１１０及びシャーシベース１２０を結合させなければ，結合させた際に熱拡散シート１３０と両面テープ１４０が重畳するなどの問題が生じ得る。
【発明の開示】
【発明が解決しようとする課題】
【００１１】
そこで，熱拡散シート１３０と両面テープ１４０との重畳を防止し，また，ＰＤＰ１１０とシャーシベース１２０との付着作業を容易にするためには，両面テープ１４０が付着される位置を，熱拡散シート１３０との間隙が大きくなるように配置することが考えられる。ここで，上記間隙は，図１８では横方向に延びた両面テープ１４０と熱拡散シート１３０との間の間隙Ｃとして示されているが，上記隙間は図１８の間隙Ｃに限定されるものではなく，両面テープ１４０と熱拡散シート１３０との間に形成される隙間であれば全て間隙と定義することができる。
【００１２】
しかし，上記のように間隙Ｃを大きく形成すると，間隙Ｃが形成された領域に相当するＰＤＰ１１０の表示面では，明残像（ｂｒｉｇｈｔ  ｉｍａｇｅ  ｓｔｉｃｋｉｎｇ）現象が現れるという問題があった。明残像現象とは，例えば，画面の一部分が所定の期間だけ明るく維持されるような画像表示が行われた後に，画面全体が明るくなる画像表示を行うと，上記所定の期間だけ明るく維持された画面の一部分が他の部分よりも黄色く褪せて見える現象である。このような明残像が発生する要因としては様々な要因が考えられるが，そのうちの１つとして，例えば放電により画像が表示された領域と，放電が発生せずに画像が表示されない領域との間に生じる温度差が挙げられる。したがって，熱拡散シート１３０が配設されていない間隙Ｃの領域では，ＰＤＰ１１０の放熱が円滑に行われずに上記のような温度差が生じ易くなって，明残像を発生させる要因の１つになっていると考えられる。
【００１３】
このような明残像現象の発生を防止するためには，両面テープ１４０と熱拡散シート１３０との間隔Ｃを小さくすることが考えられる。しかし，間隙Ｃを極端に小さくすると，ＰＤＰ１１０とシャーシベース１２０を結合させる際に，ＰＤＰ１１０に付着された熱拡散シート１３０とシャーシベース１２０に付着された両面テープ１４０が重畳する恐れがある。
【００１４】
したがって，両面テープ１４０は，熱拡散シート１３０と両面テープ１４０の間の間隙Ｃが明残像の発生が抑制され得る所定の大きさ以下となるような位置に付着されるのがよい。かかる位置を所定の付着位置と称するとすれば，両面テープ１４０は，上記所定の付着位置に，ずれなどが生じないように正確に位置付けされて付着されるのがよい。また，後述するが，熱拡散シート１３０は複数に分割されてＰＤＰ１１０とシャーシベース１２０との間に配設されることもできるが，この場合は，分割された熱拡散シート１３０と熱拡散シート１３０との間の間隙も，明残像の発生が抑制され得る所定の大きさ以下となるようにするのがよい。
【００１５】
すなわち，両面テープ１４０がシャーシベース１２０の付着面に正確に位置付けされず，例えばその一部が所定の位置からずれて付着されると，熱拡散シート１３０と両面テープ１４０との間隙Ｃは一定ではなくなる。このとき，間隙Ｃの一部が上記所定の大きさ以上になると，前述したような明残像現象が発生するという問題があった。
【００１６】
更に，両面テープ１４０の所定の付着位置からのずれの程度が大きいと，両面テープ１４０と熱拡散シート１３０が重なって付着される恐れがある。このような，両面テープ１４０と熱拡散シート１３０の重畳が生じると，重なった部分におけるＰＤＰ１１０とシャーシベース１２０との間隔が局部的に広くなって，上記単位モジュールから騒音が発生するという問題があった。
【００１７】
従って，両面テープ１４０は，熱拡散シート１３０との間の間隔が所定の間隙Ｃに維持される所定の位置に，正確に付着されなければならない。
【００１８】
そこで，本発明はこのような問題点に鑑みてなされたもので，その目的とするところは，プラズマディスプレイパネルとシャーシベースとの間に介在される熱拡散シートまたは両面テープの少なくともいずれかが効果的に配置されるようにプラズマディスプレイパネルとシャーシベースとが付着結合されたプラズマディスプレイ装置を提供することにある。すなわち，両面テープと熱拡散シートが一定の間隙を維持し正確な位置に付着されるようにして効果的に配置されるようにすることにより，両面テープと熱拡散シートとの間隙の不均一または熱拡散シート間の間隙の不均一に起因するＰＤＰの明残像現象を防止し，両面テープと熱拡散シートの誤付着により単位モジュールで発生する騒音を防止することのできるプラズマディスプレイ装置を提供することを目的とする。また，本発明のほかの目的は，熱拡散シートが配置される位置や両面テープの付着位置を確認しながら作業ができるようにして，熱拡散シートの間隔を最小化するとともに両面テープの付着作業を容易にするプラズマディスプレイ装置を提供することにある。
【課題を解決するための手段】
【００１９】
上記課題を解決するために，本発明のある観点によれば，プラズマディスプレイパネルと，上記プラズマディスプレイパネルを支持するシャーシベースと，上記プラズマディスプレイパネルと上記シャーシベースとの間に，上記プラズマディスプレイパネルと上記シャーシベースとを相互に固定するように付着される両面テープとを含み，上記シャーシベースには，上記両面テープが付着される位置をガイドするアラインマークが形成されることを特徴とするプラズマディスプレイ装置が提供される。
【００２０】
このような本発明にかかるプラズマディスプレイ装置によれば，上記両面テープを上記シャーシベースの所定の位置に付着させる際に上記アラインマークを利用して位置付けすることができるので，プラズマディスプレイ装置の組立作業が容易になる。また，両面テープを正確に位置付けしてシャーシベースの所定の位置に付着させることができるようになる。
【００２１】
このとき，上記プラズマディスプレイパネルと上記シャーシベースとの間には，熱拡散シートが複数に分割されて相互に所定の距離だけ離隔されて配置されることができ，上記アラインマークは，上記分割された熱拡散シートと熱拡散シートとの間または上記複数の熱拡散シートの周りに配置される帯状の上記両面テープの付着位置をガイド可能に上記シャーシベースに形成されることができる。上記帯状の両面テープは，幅が狭く形成され長さが長く形成された形状を有し，その辺は直線であることもできるし，あるいは曲線であってもよい。そして，上記アラインマークを設けることにより，上記両面テープは上記アラインマークによって，上記熱拡散シートと一定の間隔を維持し正確な位置に付着されるようにガイドされるので，両面テープと熱拡散シートとがプラズマディスプレイパネルとシャーシベースとの間で効果的に配置されることができる。このように両面テープと熱拡散シートとが効果的に配置されることにより，両面テープと熱拡散シートとの間隙の不均一に起因するＰＤＰの明残像現象を防止することができるようになる。更に，アラインマークを設けることにより，両面テープと熱拡散シートとが重ならないようにすることができるので，上記両面テープと熱拡散シートとが重なって浮き上がった状態で結合することによりプラズマディスプレイ装置内で発生する騒音を防止することもできる。また，プラズマディスプレイ装置を組み立てる際に，上記アラインマークにより，両面テープの付着位置をより迅速かつ正確に確認することができるので，作業のミスを最小化することができる。
【００２２】
このとき，上記アラインマークは，上記シャーシベースの上記プラズマディスプレイパネルと対向する面に形成されるのがよい。また，上記アラインマークは，相互に隣接する上記熱拡散シートの間に配置される上記両面テープに対応して形成されるのがよい。
【００２３】
また，上記アラインマークは，上記両面デープが複数であるとき，上記複数の両面テープのうち少なくとも一つの両面テープに対応して形成されることができる。そして，上記アラインマークは，上記両面テープが付着される上記シャーシベースの領域を，陽刻または陰刻して形成することができる。あるいは，上記アラインマークは，上記両面テープが付着される領域にインクまたは蛍光物質を印刷することにより形成することができる。また，上記アラインマークは，上記両面テープが付着される領域の外周（周り）に沿って形成されることもできる。
【００２４】
あるいは，上記アラインマークは，上記両面テープが付着される領域の外周（周り）に部分的に形成されるようにすることもできる。このとき，上記アラインマークは，上記両面テープの長手方向両端に対応する位置に対をなして形成されることができる。あるいは，上記アラインマークは，上記両面テープの幅方向（短手方向）の両端に対応する位置に対をなして形成されるようにすることもできる。
【００２５】
または，上記アラインマークは，多角形に形成される上記両面テープの対角線方向の両端に対応する位置に対をなして形成されることもできる。このとき，上記アラインマークは，上記両面テープの上記対角線方向に対向する両側の角部にそれぞれ形成されるようにするのがよい。更に，上記アラインマークは，上記両面テープの上記対角線方向に対向する角部の形状に対応する“『”形状，及び“』”形状に形成されるのがよい。あるいは，上記アラインマークは，複数のドット形状の孔が上記対角線方向に対向する角部に沿って配列されるように形成されてもよい。
【００２６】
または，上記アラインマークは，上記シャーシベースに（部分的に）形成される孔からなることができる。このとき，上記孔の上記シャーシベースの面方向の断面の形状は，円形または多角形であるのがよい。
【００２７】
上記課題を解決するために，本発明の別の観点によれば，プラズマディスプレイパネルと，上記プラズマディスプレイパネルを支持するシャーシベースと，上記プラズマディスプレイパネルと上記シャーシベースとの間に介在される熱拡散シートとを含み，上記シャーシベースには，上記熱拡散シートが介在される位置をガイドするアラインマークが形成されること，を特徴とするプラズマディスプレイ装置が提供される。
【００２８】
このような本発明にかかるプラズマディスプレイ装置によれば，上記熱拡散シートを上記シャーシベースの所定の位置に付着させる際に上記アラインマークを利用して位置付けすることができるので，プラズマディスプレイ装置の組立作業が容易になる。また，熱拡散シートを正確に位置付けしてシャーシベースの所定の位置に付着させることができるようになる。また，かかる構成とすることにより，上記熱拡散シートは上記アラインマークによって，隣接する熱拡散シートと一定の間隔を維持し正確な位置に付着されるようにガイドされるので，プラズマディスプレイパネルとシャーシベースとの間で効果的に配置されることができる。このように熱拡散シートが効果的に配置されることにより，熱拡散シート間の間隙の不均一に起因するＰＤＰの明残像現象を防止することができるようになる。更に，熱拡散シートが両面テープなどの他の部材とが誤まって相互に付着されることによりプラズマディスプレイ装置内で発生する騒音を防止することもできるようになる。
【００２９】
ここで，上記アラインマークは，上記熱拡散シートが複数に分割されて上記プラズマディスプレイパネルと上記シャーシベースとの間に介在されるとき，少なくとも一つの上記熱拡散シートに対応して形成されることができる。そして，上記アラインマークは，上記熱拡散シートが介在される領域を陽刻または陰刻して形成されることができる。あるいは，上記アラインマークは，上記熱拡散シートが介在される領域にインクまたは蛍光物質を印刷することにより形成することができる。また，上記アラインマークは，上記熱拡散シートが介在される領域の外周（周り）に沿って形成されることもできる。
【００３０】
あるいは，上記アラインマークは，上記熱拡散シートが付着される領域の外周（周り）に部分的に形成されるようにすることもできる。このとき，上記アラインマークは，上記熱拡散シートの長手方向の両端に対応する位置に対をなして形成されることができる。あるいは，上記アラインマークは，上記熱拡散シートの幅方向（短手方向）の両端に対応する位置に対をなして形成されるようにすることもできる。
【００３１】
または，上記アラインマークは，多角形に形成される上記熱拡散シートの対角線方向の両端に対応する位置に対をなして形成されることもできる。このとき，上記アラインマークは，上記熱拡散シートの対角線方向に対向する両側の角部にそれぞれ形成されるようにするのがよい。更に，上記アラインマークは，上記熱拡散シートの上記対角線方向に対向する角部の形状に対応する“『”形状，及び“』”形状に形成されるようにすることもできる。あるいは，上記アラインマークは，複数のドット形状の孔が上記対角線方向に対向する角部に沿って配列されるように形成されてもよい。
【００３２】
または，上記アラインマークは，上記シャーシベースに形成される孔からなることができる。このとき，上記孔の上記シャーシベースの面方向の断面の形状は，円形または多角形であるのがよい。
【発明の効果】
【００３３】
本発明によれば，プラズマディスプレイパネルとシャーシベースとの間に介在される両面テープと熱拡散シートが一定の間隔を維持し正確な位置に付着されるようにガイドすることにより，熱拡散シートと両面テープが効果的に配置及び付着されて，両面テープと熱拡散シートとの間隙の不均一に起因するＰＤＰの明残像現象を防止し，両面テープと熱拡散シートの誤付着により単位モジュールで発生する騒音を防止することのできるプラズマディスプレイ装置を提供できるものである。また，熱拡散シートの配置位置と両面テープの付着位置を確認しながら作業ができるようにしたことにより，熱拡散シートをその間隔を最小化するように配置することが可能となり，また，両面テープの付着作業などのプラズマディスプレイ装置の組み立てをより容易にすることができる。
【発明を実施するための最良の形態】
【００３４】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３５】
先ず，本発明の第１の実施の形態について説明する。図１は本発明の第１の実施の形態によるプラズマディスプレイ装置を示す分解斜視図である。
【００３６】
図１に示すように，本発明の第１の実施の形態によるプラズマディスプレイ装置は，プラズマ放電により実質的に映像を具現するＰＤＰ１０と，シャーシベース２０と，熱拡散シート３０と，両面テープ４０とを含んで構成され，更にフロントカバー５１とリアカバー５２とを含むことができる。シャーシベース２０は，ＰＤＰ１０の映像が表示される面とは反対側の面である一方の面に配置されてＰＤＰ１０を支持することができる。熱拡散シート３０は，ＰＤＰ１０とシャーシベース２０との間に介在される。両面テープ４０は，ＰＤＰ１０とシャーシベース２０との間に付着されて，ＰＤＰ１０とシャーシベース２０とを結合固定させる。また，ＰＤＰ１０またはシャーシベース２０の面方向から見た場合，両面テープ４０は熱拡散シート３０から所定の距離だけ離隔されて熱拡散シート３０と一定の間隙を維持するように配設されることができる。フロントカバー５１は，ＰＤＰ１０の前面，すなわち表示面側に配設されることができ，リアカバー５２はシャーシベース２０の背面に配設されることができる。
【００３７】
ＰＤＰ１０は，気体放電により画像を表示するように構成されるもので，本発明はこのようなＰＤＰ１０と他の構成要素の結合関係に関するものであるので，ここではＰＤＰ１０の構成についての具体的な説明は省略することとする。したがって，第１の実施の形態及び後述する他の実施の形態において，ＰＤＰ１０としては，多様な構成及び方式のＰＤＰを適用することができる。
【００３８】
熱拡散シート３０は，前述したように，ＰＤＰ１０から発生した熱をＰＤＰ１０の平面方向に迅速に伝導，発散させることにより，ＰＤＰ１０の放熱均衡を実現することができる。このとき，熱拡散シート３０は，明残像を除去するように配置されてＰＤＰ１０の背面に付着されるのがよい。例えば，熱拡散シート３０が配設された領域におけるＰＤＰ１０の放熱は，熱拡散シート３０が配設されていない領域におけるＰＤＰ１０の放熱よりも円滑に行われるので，熱拡散シート３０が配設された領域と配置されていない領域とではＰＤＰ１０に温度差が生じ得る。従って，熱拡散シート３０は，このようなＰＤＰ１０の温度差を減少させるべく，例えば熱拡散シート３０と両面テープ４０との間隙が小さくなるように配置されるのがよい。
【００３９】
ここで，熱拡散シート３０は，例えばＰＤＰ１０への付着作業を容易にしたり，取り扱いを容易にするなどの理由で，複数に分割されて配設されることができる。この場合，熱拡散シート３０は，上記のようなＰＤＰ１０の温度差を減少させるべく，熱拡散シート３０と熱拡散シート３０との間の間隔が小さくなるように分割されて配置されるのがよい。
【００４０】
熱拡散シート３０は，相互に付着されて組立てられるＰＤＰ１０とシャーシベース２０との間に介在される。このとき，熱拡散シート３０は，両面テープ４０によるＰＤＰ１０とシャーシベース２０との結合力によってＰＤＰ１０の背面に緊密に密着されることができる。したがって，この両面テープ４０は，ＰＤＰ１０とシャーシベース２０の付着状態を持続的かつ堅固に維持させ得る十分な結合力を有するのがよい。また，熱拡散シート３０は，その付着面自体が接着力を有するように構成されてもよいし，あるいは別途の接着剤をその付着面に塗布することによりＰＤＰ１０に付着されるように構成されることもできる。
【００４１】
両面テープ４０は，複数に分割された熱拡散シート３０の間に介在されて，ＰＤＰ１０の背面と，上記ＰＤＰ１０の背面と対向するシャーシベース２０の前面とを，複数の位置で互いに付着結合させることができる。
【００４２】
ここで，両面テープ４０は，前述したように熱拡散シート３０が複数に分割されるとき，分割される数が多いほど，シャーシベース２０とＰＤＰ１０の結合力を強力にすることができる。一方，熱拡散シート３０の分割数が多いと，ＰＤＰ１０の放電不均衡をきたす可能性は逆に高くなるといった問題がある。したがって，両面テープ４０と熱拡散シート３０の分割及び数は，ＰＤＰ１０の放熱均衡を維持しながらＰＤＰ１０とシャーシベース２０の結合力を維持することができる範囲内で適切に設定されるのがよい。
【００４３】
上記のように適切な数に分割された熱拡散シート３０は，ＰＤＰ１０の背面に相互に所定の距離だけ離隔されて付着される。一方，両面テープ４０は，分割された熱拡散シート３０と熱拡散シート３０の間，及び熱拡散シート３０の周囲に，それぞれ帯状の形状を有して配設されることができる。このように配設された両面テープ４０により，ＰＤＰ１０の背面とシャーシベース２０が相互に付着される。ここで，上記帯状の両面テープ４０は，幅が狭く形成され長さが長く形成された形状を有し，その辺は直線であることもできるし，あるいは曲線であってもよい。また，上記両面テープ４０の形状は必ずしも帯状に限定されるものではなく，熱拡散シート３０と熱拡散シート３０の間隔を狭く一定に維持できる形状であればいかなる形状であってもよい。
【００４４】
上記のように，シャーシベース２０は熱拡散シート３０側で両面テープ４０によりＰＤＰ１０の背面に付着されてＰＤＰ１０を支持することができる。そして，シャーシベース２０のＰＤＰ１０と対向する面と反対側の面には，ＰＤＰ１０を駆動させる駆動回路基板（図示せず）が装着される。
【００４５】
図２は，本発明の第１の実施の形態によるプラズマディスプレイ装置のシャーシベースを示す正面図である。図３は，図２のＩＩＩ−ＩＩＩ線に沿った側断面図である。
【００４６】
図２及び図３に示すように，シャーシベース２０には，両面テープ４０が所定の位置，すなわち熱拡散シート３０から所定の距離だけ離隔されて一定の間隙Ｃを維持した位置に正確に位置付けされて付着されるようにするアラインマーク（ａｌｉｇｎ  ｍａｒｋ）２１が設けられる。
【００４７】
先ず，第１の実施の形態によるアラインマーク２１は，両面テープ４０が付着されるシャーシベース２０の所定の領域の全体を陽刻状に突出させて形成することができる。このように陽刻状に突出して形成されたアラインマーク２１は，両面テープ４０及び熱拡散シート３０がより正確な位置に付着されるようにガイドする役割りを果たすことができる。すなわち，上記プラズマディスプレイ装置のうち，ＰＤＰ１０，シャーシベース２０，及びこれらの間に介在される熱拡散シート３０を単一モジュールに組み立てる過程において，作業者（自動設備の場合は，作業機構）は，シャーシベース２０に両面テープ４０を付着させる際にアラインマーク２１に沿って両面テープ４０を位置付けすれば，所定の位置にに両面テープ４０を付着させることができる。このように，本発明の第１の実施の形態によれば，両面テープ４０が付着される領域全体が陽刻されてシャーシベース２０の面に対して凸状に突出形成されることにより，両面テープ４０の付着作業を手作業で行う場合，作業者は両面テープ４０の所定の付着位置を認識することができる。また，両面テープ４０の付着作業を機械装置（作業機構）などによる自動工程で行う場合には，センサーなどによってアラインマークを確認することにより両面テープ４０の所定の付着位置を認識することができる。
【００４８】
このようにして，両面テープ４０が熱拡散シート３０から所定の距離以下の均一な間隙Ｃを維持して付着されるようにすれば，間隙Ｃが大きく形成されたり，あるいは不均一な幅で形成されることにより発生し得る明残像現象を効果的に防止することができる。ここで，図２では，ＰＤＰ１０の一方向（図２の縦方向）に沿った辺と同一方向に交互に配列される熱拡散シート３０と両面テープ４０との間の間隙が所定の間隙Ｃとなるように示されているが，ＰＤＰ１０の他方向（図２の横方向）に沿った辺と同一方向に配設される両面テープ４０と熱拡散シート３０との間の間隙も所定の距離以下の均一な間隙Ｃ´を維持するのがよい。このとき，間隙Ｃと間隙Ｃ´は同一の値であることも，異なる値であることもできる。
【００４９】
更に，アラインマーク２１が両面テープ４０の付着位置をガイドすることにより，両面テープ４０がずれて付着されたり，熱拡散シート３０と重なるなどの両面テープ４０の誤付着を防止することができる。その結果，ＰＤＰ１０とシャーシベース２０との間隔が局部的に広がって発生する単位モジュールの騒音を防止することができる。
【００５０】
以下，本発明の他の実施の形態について添付図面に基づいて説明するが，第１の実施の形態と同一の部分については，同一の符号を付することにより重複説明を省略する。
【００５１】
次に，本発明の第２の実施の形態について，図４を参照しながら説明する。図４は，本発明の第２の実施の形態によるプラズマディスプレイ装置のシャーシベースを示す側断面図である。
【００５２】
図４に示すように，第２の実施の形態において，シャーシベース２０に形成されるアラインマーク１２１は，両面テープ４０が付着されるシャーシベース２０の所定の領域の全体が陰刻状に形成される。このように，本発明の第２の実施の形態によれば，両面テープ４０が付着される領域全体が陰刻されてシャーシベース２０の面に対して凹状にくぼんで形成されることにより，作業者または作業機構は両面テープ４０の所定の付着位置を認識することができる。
【００５３】
ここで，アラインマーク１２１は，シャーシベース２０がプレス金型により製作される場合は，第１の実施の形態のように陰刻状に形成されるのがよい。一方，シャーシベース２０がダイキャスティング金型により製作される場合は，第１の実施の形態の陽刻状または第２の実施の形態の陰刻状のいずれの形態に形成してもよい。
【００５４】
次に，本発明の第３の実施の形態について，図５を参照しながら説明する。図５は，本発明の第３の実施の形態によるプラズマディスプレイ装置のシャーシベースを示す正面図である。
【００５５】
図５に示すように，第３の実施の形態において，アラインマーク２２１は，両面テープ４０が付着されるシャーシベース２０の付着面にインクまたは蛍光物質を印刷して形成される。このとき，両面テープ４０が付着されるシャーシベース２０の付着面の全体を陰刻状または陽刻状に形成して，その上に更にインクまたは蛍光物質を印刷するようにすることもできる。このように印刷されたインクまたは蛍光物質により，作業者（または，作業機構）は，両面テープの付着位置をより容易に認識できるようになり，両面テープの付着作業をより正確に行うことができるようになる。このように，本発明の第３の実施の形態によれば，両面テープ４０が付着される領域に，例えばインクや蛍光物質などの物質を印刷することにより，作業者または作業機構は両面テープ４０の所定の付着位置を容易に認識することができる。このとき，両面テープ４０が付着される領域全体をシャーシベース２０の面に対して凸状または凹状に形成して，更に上記凸状または凹状に形成された領域が際立つように，例えばインクや蛍光物質などの物質を当該領域に印刷するようにすることもできる。
【００５６】
次に，本発明の第４の実施の形態について，図６及び図７を参照しながら説明する。図６は，本発明の第４の実施の形態によるプラズマディスプレイ装置のシャーシベースを示す正面図である。図７は，図６のＶＩＩ−ＶＩＩ線に沿った部分側断面図である。
【００５７】
図６及び図７に示すように，第４の実施の形態において，アラインマーク３２１は，両面テープ４０が付着される領域の周囲に沿って形成されることができる。かかるアラインマーク３２１は，例えば，両面テープ４０が付着されるシャーシベース２０の付着面の周りに沿って陰刻状または陽刻状に形成される外周部から成ることができる。ここで，アラインマーク３２１は，図７に示すように，両面テープ４０が付着されるシャーシベース２０の付着面の一部，つまり付着面の周りに沿って突出して形成されるのがよい。これにより，両面テープ４０はアラインマーク３２１の内部に定着されるようにガイドされる。
【００５８】
あるいは，アラインマーク３２１は，両面テープ４０が付着されるシャーシベース２０の付着面の周りに沿ってインクまたは蛍光物質を印刷することにより形成することもできる。
【００５９】
このように，本発明の第４の実施の形態によれば，両面テープ４０が付着される領域の周囲に沿ってアラインマークを形成することにより，作業者または作業機構は両面テープ４０の所定の付着位置をより容易に認識することができる。
【００６０】
次に，本発明の第５の実施の形態について，図８及び図９を参照しながら説明する。図８は，本発明の第５の実施の形態によるプラズマディスプレイ装置を示す分解斜視図である。図９は，図８に示すシャーシベースの正面図である。
【００６１】
図８及び図９に示すように，第５の実施の形態において，アラインマーク４２１は，両面テープ４０が付着されるシャーシベース２０の付着面の周りに沿って部分的に形成される。この際，アラインマーク４２１は，両面テープ４０が付着される所定の位置をガイドするために必要な最小部分に形成される。
【００６２】
上記必要な最小部分とは，例えば，両面テープ４０の対角線方向に対向するそれぞれの端部に対応する位置であることができる。より具体的には，上記必要な最小部分は，両面テープ４０が付着される位置の対角線方向に対向する対をなす角部であることができる。この場合，アラインマーク４２１は，一方の角部の形状が“『”形状であり，他方の角部の形状が“』”形状であることができる。あるいは，アラインマーク４２１は，複数のドット形状の孔が対角線方向に対向する角部に沿って配列されるように形成されてもよい。したがって，作業者が熱拡散シート３０の間またはその周りに両面テープ４０を付着するとき，この対をなすアラインマーク４２１と，両面テープ４０の対向する対をなす角部の側部とがそれぞれ一致することを確認することにより，両面テープ４０を所定の位置に付着させることができる。また，アラインマーク４２１を参照して，ＰＤＰ１１の背面に付着される熱拡散シート３０とシャーシベース２０に付着される両面テープ４０が重畳せずに所定の間隙を維持して付着されるように確認しながら熱拡散シート３０を配置させることができる。
【００６３】
ここで，アラインマーク４２１は，図８に示すように，シャーシベース２０の面から突出されるように形成されることができる。これにより，両面テープ４０はアラインマーク４２１の内部に定着されるようにガイドされる。あるいは，アラインマーク４２１は，シャーシベース２０の面にインクまたは蛍光物質を印刷することにより形成されることもできる。
【００６４】
また，アラインマーク４２１の形状は、上に述べた形状に限定されるものではなく，両面テープ４０が付着されるべき所定の領域の外周に沿って部分的に形成される形状であれば，多様な変更例を適用することができる。例えば，アラインマーク４２１は，両面テープ４０の長手方向（長さ方向）の両端に対応する位置に対をなして部分的に形成されることもできる。あるいは，両面テープ４０の幅方向の両端に対応する位置に対をなして部分的に形成されることもできる。
【００６５】
次に，本発明の第６の実施の形態について，図１０を参照しながら説明する。図１０は，本発明の第６の実施の形態によるプラズマディスプレイ装置のシャーシベースを示す正面図である。
【００６６】
図１０に示すように，第６の実施の形態において，アラインマーク５２１は，両面テープ４０が付着されるべき所定の領域の外周に沿って部分的に穿孔される孔からなることができる。ここで，シャーシベース２０は一般的には金属材質からなっているため，上記孔の形成はパンチング工程により容易に行うことができ，容易な製造工程により形成可能である。
【００６７】
そして，上記孔が形成される位置は，孔をパンチングすることによる追加の加工工程を最小化するために，各々の両面テープ４０に対して，両面テープ４０が付着される位置をガイドするために必要な最少部分に形成されるのがよい。ここで，上記必要な最小部分とは，例えば，両面テープ４０の対角線方向に対向するそれぞれの端部に対応する位置であることができる。より具体的には，上記必要な最小部分は，両面テープ４０が付着される位置の対角線方向に対向する対をなす角部であることができる。また，上記孔のシャーシベース２０の面方向の断面の形状は，例えば円形であることができるが，かかる形状に限定されるものではなく，例えば多角形などであることもできる。
【００６８】
次に，本発明の第７の実施の形態について，図１１を参照しながら説明する。図１１は本発明の第７の実施の形態によるプラズマディスプレイ装置のシャーシベースを示す正面図である。
【００６９】
図１１に示すように，第７の実施の形態において，アラインマーク６２１は，シャーシベース２０に付着される複数の両面テープ４０の全てに対応して形成されるのではなく，複数の両面テープ４０のうちの一部にだけ対応して形成される。
【００７０】
この場合，アラインマーク６２１は，他の実施の形態と比較すると，より便利（容易）に形成することができる。ここで，アラインマーク６２１を複数の両面テープ４０のうちの一部にだけ対応して形成する際に，対象となる両面テープ４０は，熱拡散シート３０と熱拡散シート３０との間に配設される両面テープ４０であるのがよい。すなわち，熱拡散シート３０の外側に位置する両面テープ４０よりも，熱拡散シート３０と熱拡散シート３０との間に配設される両面テープ４０に対してアラインマーク６２１を設けた方が，より効果的である。このようにして，第７の実施の形態においては，アラインマーク６２１の数を最小化しながらも両面テープ４０と熱拡散シート３０の重畳を効果的に防止することができる。
【００７１】
次に，本発明の第８の実施の形態について，図１２を参照しながら説明する。図１２は，本発明の第８の実施の形態によるプラズマディスプレイ装置のシャーシベースを示す正面図である。
【００７２】
図１２に示すように，第８の実施の形態において，アラインマーク６２２は，両面テープ４０が付着されるべき所定の領域の外周に沿って部分的に形成される孔からなり，シャーシベース２０に付着される複数の両面テープ４０のうちの一部に対応して形成されるのがよい。ここで，アラインマーク６２２を複数の両面テープ４０のうちの一部にだけ対応して形成する際に，対象となる両面テープ４０は，熱拡散シート３０と熱拡散シート３０との間に配設される両面テープ４０であるのがよい。更に，上記孔が形成される位置は，両面テープ４０が付着される位置をガイドするために必要な最少部分に形成されるのがよい。ここで，上記必要な最小部分とは，例えば，両面テープ４０の対角線方向に対向するそれぞれの端部に対応する位置であることができる。より具体的には，上記必要な最小部分は，両面テープ４０が付着される位置の対角線方向に対向する対をなす角部であることができる。また，上記孔のシャーシベース２０の面方向の断面の形状は，例えば円形であることができるが，かかる形状に限定されるものではなく，例えば多角形などであることもできる。
【００７３】
ここで，第８の実施の形態において，上記孔は，シャーシベース２０に付着される複数の両面テープ４０の全てに対応して形成されるのではなく，複数の両面テープ４０のうちの一部にだけ対応して形成されることができる。例えば，上記孔は，一方向に沿って相互に並んで隣接する熱拡散シート３０と所定の間隔を維持するように上記一方向（縦方向）に沿って配設される両面テープ４０にだけ対応して形成されることができる。このように孔を形成することにより，最小の箇所において最小の加工により，両面テープ４０の付着位置をガイドすることができる。
【００７４】
また，アラインマーク６２２は，場合によっては，上記一方向と交差する方向（横方向）に沿って配設される両面テープ４０のアラインマークを兼ねることもできる。すなわち，一つのアラインマーク６２２を，上記一方向（縦方向）に沿って配設される両面テープ４０の付着位置をガイドするのに使用するとともに，上記一方向と交差する方向（横方向）に沿って配設される両面テープ４０の付着位置をガイドするのにも使用することができる。
【００７５】
次に，本発明の第９の実施の形態について，図１３を参照しながら説明する。図１３は，本発明の第９の実施の形態によるプラズマディスプレイ装置のシャーシベースを示す正面図である。
【００７６】
図１３に示すように，第９の実施の形態においては，アラインマーク７２１は，ＰＤＰ１０とシャーシベース２０との間に介在される熱拡散シート３０の位置をガイドするように，シャーシベース２０に形成されることができる。このように熱拡散シート３０の位置をガイドするアラインマーク７２１を設けることにより，熱拡散シート３０と両面テープ４０との間隔がより一定に維持されるように組み立てを行うことができる。ここで，熱拡散シート３０は，ＰＤＰ１０の発熱が多い部分に位置付けされることが望ましい。従って，このような位置をＰＤＰ１０と対向配置されるシャーシベース２０上にアラインマークを利用して表示し，該当部分に予め熱拡散シート３０を位置させた後，ＰＤＰ１０とシャーシベース２０を接合させると，熱拡散シート３０はＰＤＰ１０の該当部分に適切に配置されることができる。このとき，ＰＤＰ１０とシャーシベース２０は，一般的には，別途のアラインマークまたはアライン装備によって整列されて接合されることができる。
【００７７】
第９の実施の形態によるアラインマーク７２１は，熱拡散シート３０が介在される位置をガイドするように，熱拡散シート３０と対応するシャーシベース２０の介在面を，対応する領域全体が陰刻状または陽刻状に形成してなることができる。あるいは，アラインマーク７２１は，インクまたは蛍光物質を熱拡散シート３０と対応するシャーシベース２０の介在面の領域全体に印刷してなることもできる。このように，本発明の第９の実施の形態によれば，シャーシベース２０の熱拡散シート３０が介在される位置と対応する領域全体が，陽刻されてシャーシベース２０の面に対して凸状に突出形成されるか，陰刻されてシャーシベース２０の面に対して凹状に突出形成されるか，インクまたは蛍光物質を印刷されて形成されることにより，熱拡散シート３０の配置作業を手作業で行う場合，作業者は熱拡散シート３０の所定の配置位置を認識することができる。また，熱拡散シート３０の配置作業を機械装置（作業機構）などによる自動工程で行う場合には，センサーなどによってアラインマークを確認することにより熱拡散シート３０の所定の付着位置を認識することができる。
【００７８】
次に，本発明の第１０の実施の形態について，図１４を参照しながら説明する。図１４は本発明の第１０の実施の形態によるプラズマディスプレイ装置のシャーシベースを示す正面図である。
【００７９】
図１４に示すように，第１０の実施の形態において，アラインマーク８２１は，熱拡散シート３０と対応するシャーシベース２０の介在面の領域全体を陰刻状または陽刻状に形成した第９の実施の形態に対し，熱拡散シート３０と対応するシャーシベース２０の領域の周りに沿って陰刻状または陽刻状に形成された外周部からなることができる。あるいは，アラインマーク８２１は，熱拡散シート３０と対応するシャーシベース２０の領域の周りに沿ってインクまたは蛍光物質を印刷することにより形成することもできる。
【００８０】
次に，本発明の第１１の実施の形態について，図１５を参照しながら説明する。図１５は本発明の第１１の実施の形態によるプラズマディスプレイ装置のシャーシベースを示す正面図である。
【００８１】
図１５に示すように，第１１の実施の形態において，アラインマーク９２１は，熱拡散シート３０と対応するシャーシベース２０の介在面の一部，すなわち介在面の周りに沿って部分的に形成される。このとき，アラインマーク９２１は，熱拡散シート３０が介在される位置をガイドするために必要な最小部分に形成される。
【００８２】
上記必要な最小部分とは，例えば，熱拡散シート３０の対角線方向に対向するそれぞれの端部に対応する位置であることができる。より具体的には，上記必要な最小部分は，熱拡散シート３０が介在される位置の対角線方向に対向する対をなす角部であることができる。この場合，アラインマーク９２１は，一方の角部の形状が“『”形状であり，他方の角部の形状が“』”形状であることができる。あるいは，アラインマーク９２１は，複数のドット形状の孔が対角線方向に対向する角部に沿って配列されるように形成されてもよい。
【００８３】
次に，本発明の第１２の実施の形態について，図１６を参照しながら説明する。図１６は，本発明の第１２の実施の形態によるプラズマディスプレイ装置のシャーシベースを示す正面図である。
【００８４】
図１６に示すように，第１２の実施の形態において，アラインマーク１０２１は，熱拡散シート３０が介在される位置と対応するシャーシベース２０の介在面に，上記介在面の周りに沿って部分的に穿孔された孔からなることができる。ここで，上記孔は，熱拡散シート３０が介在される位置をガイドするために必要な最小部分に形成されるのがよい。上記必要な最小部分とは，例えば，熱拡散シート３０の対角線方向に対向するそれぞれの端部に対応する位置であることができる。より具体的には，上記必要な最小部分は，熱拡散シート３０が介在される位置の対角線方向に対向する対をなす角部であることができる。また，上記孔のシャーシベース２０の面方向の断面の形状は，例えば円形であることができるが，かかる形状に限定されるものではなく，例えば多角形などであることもできる。
【００８５】
熱拡散シート３０の付着位置をガイドするためのアラインマークには，上述した第９〜第１２の実施の形態以外にも，両面テープ４０の付着位置をガイドするためのアラインマークに適用した全ての実施の形態を適用することができる。
【００８６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００８７】
例えば，本発明の実施の形態においては，熱拡散シートが複数に分割された場合について説明したが，本発明は分割されない熱拡散シートを備えたプラズマディスプレイ装置にも適用可能である。また，両面テープの付着位置をガイドするアラインマークと，熱拡散シートの介在位置をガイドするアラインマークは，両面テープのアラインマークのみ設ける構成とすることもできるし，熱拡散シートのアラインマークのみ設ける構成とすることもできるし，両面テープ及び熱拡散シートのアラインマークを設ける構成とすることもできる。
【００８８】
上記のように，本発明によれば，プラズマディスプレイパネルとシャーシベースとの間に介在される熱拡散シート及び両面テープを効果的に配置及び付着することができる。すなわち，両面テープと熱拡散シートが一定の間隙を維持し正確な位置に付着されるようにガイドすることにより，両面テープと熱拡散シートとの間隙の不均一に起因するＰＤＰの明残像現象を防止することができる。具体的には，両面テープと熱拡散シートとの間隔を狭く均一に維持すれば，両面テープと熱拡散シートとの間隔が広い場合または不均一な場合に，間隔が広い部分にて発生する明残像現象を防止することができる。また，両面テープと熱拡散シートが重なって浮き上がった状態で結合して，上記浮き上がった部分での揺れなどによって単位モジュールで発生する騒音を防止することができる。更に，プラズマディスプレイパネルとシャーシベースとを接合する作業を，熱拡散シートの配置位置と両面テープの付着位置を確認しながらができるようになるので，熱拡散シート間の間隔が最小化されるように熱拡散シートを配置することが可能となる。また，両面テープの付着位置や熱拡散シートの配置位置を迅速かつ正確に確認することができるので，プラズマディスプレイ装置の組み立て作業における容易性を確保し，作業ミスを最小化することができる。
【産業上の利用可能性】
【００８９】
本発明は，プラズマディスプレイ装置に適用可能であり，特にプラズマディスプレイパネルとシャーシベースとの間に熱拡散シートが介在されるプラズマディスプレイ装置に適用可能である。
【図面の簡単な説明】
【００９０】
【図１】本発明の第１の実施の形態によるプラズマディスプレイ装置を示す分解斜視図である。
【図２】本発明の第１の実施の形態によるプラズマディスプレイ装置のシャーシベースを示す正面図である。
【図３】図２のＩＩＩ−ＩＩＩ線に沿った側断面図である。
【図４】本発明の第２の実施の形態によるプラズマディスプレイ装置のシャーシベースを示す側断面図である。
【図５】本発明の第３の実施の形態によるプラズマディスプレイ装置のシャーシベースを示す正面図である。
【図６】本発明の第４の実施の形態によるプラズマディスプレイ装置のシャーシベースを示す正面図である。
【図７】図６のＶＩＩ−ＶＩＩ線に沿った部分側断面図である。
【図８】本発明の第５の実施の形態によるプラズマディスプレイ装置を示す分解斜視図である。
【図９】図８に示すシャーシベースの正面図である。
【図１０】本発明の第６の実施の形態によるプラズマディスプレイ装置のシャーシベースを示す正面図である。
【図１１】本発明の第７の実施の形態によるプラズマディスプレイ装置のシャーシベースを示す正面図である。
【図１２】本発明の第８の実施の形態によるプラズマディスプレイ装置のシャーシベースを示す正面図である。
【図１３】本発明の第９の実施の形態によるプラズマディスプレイ装置のシャーシベースを示す正面図である。
【図１４】本発明の第１０の実施の形態によるプラズマディスプレイ装置のシャーシベースを示す正面図である。
【図１５】本発明の第１１の実施の形態によるプラズマディスプレイ装置のシャーシベースを示す正面図である。
【図１６】本発明の第１２の実施の形態によるプラズマディスプレイ装置のシャーシベースを示す正面図である。
【図１７】従来のプラズマディスプレイ装置の単位モジュールの組立てを示す分解斜視図である。
【図１８】従来のプラズマディスプレイ装置のシャーシベースを示す正面図である。
【符号の説明】
【００９１】
１０，１１０  ＰＤＰ
２０，１２０  シャーシベース
２１，１２１，２２１，３２１，４２１，５２１，６２１，７２１，８２１，９２１，１０２１        アラインマーク
３０，１３０  熱拡散シート
４０，１４０  両面テープ
５１          フロントカバー
５２          リアカバー
【図１】
2006091895.tif 000003
【図２】
2006091895.tif 000004
【図３】
2006091895.tif 000005
【図４】
2006091895.tif 000006
【図５】
2006091895.tif 000007
【図６】
2006091895.tif 000008
【図７】
2006091895.tif 000009
【図８】
2006091895.tif 000010
【図９】
2006091895.tif 000011
【図１０】
2006091895.tif 000012
【図１１】
2006091895.tif 000013
【図１２】
2006091895.tif 000014
【図１３】
2006091895.tif 000015
【図１４】
2006091895.tif 000016
【図１５】
2006091895.tif 000017
【図１６】
2006091895.tif 000018
【図１７】
2006091895.tif 000019
【図１８】
2006091895.tif 000020